(57)【要約】      （修正有）【課題】長期に使用しても安全な支持杖と支持杖付きの歩行補助器を提供する。【解決手段】第一側枠１１と第二側枠１２を有し、各側枠に、二つの離間された縦方向支持棒があり、両縦方向支持棒の間に、連結するための横棒１１１からなる連結部が設置される歩行補助器であって、上記第一側枠や第二側枠の何れかの一つの横棒１１１から上へ向かって、支持杖２、３を設置する。これにより、使用者が、歩行補助器の機能を利用できるだけでなく、同時に、腋窩が、上記第一側枠上部の支持杖によって支持されるため、体が前へ傾くことにより、脊椎や骨骼、筋肉が圧迫されて傷付くことが防止される。【選択図】図２
0003163039.tif 000002
【実用新案登録請求の範囲】
【請求項１】
第一側枠と第二側枠を有し、各側枠に、二つの離間された縦方向支持棒があり、両縦方向支持棒の間に、連結するための横棒からなる連結部が設置される歩行補助器であって、
上記第一側枠や第二側枠の何れかの一つの横棒から上へ向かって、支持杖が設置される、
ことを特徴とする支持杖付きの歩行補助器。
【請求項２】
上記第一側枠や第二側枠に、ともに、上記横棒から上へ向かって支持杖が設置されることを特徴とする請求項１に記載の支持杖付きの歩行補助器。
【請求項３】
上記支持杖の底部において、上記横棒に、開口を有する握り部が形成されることを特徴とする請求項１に記載の支持杖付きの歩行補助器。
【請求項４】
上記支持杖の底部において、上記横棒に、開口を有する握り部が形成されることを特徴とする請求項２に記載の支持杖付きの歩行補助器。
【請求項５】
上記支持杖が、伸縮管と上記伸縮管の外縁に嵌設されたメイン管からなり、上記伸縮管に、弾性突出が形成され、また、上記メイン管に、上記弾性突出に対応する複数の調節穴が形成されることを特徴とする請求項１に記載の支持杖付きの歩行補助器。
【請求項６】
上記支持杖が、伸縮管と上記伸縮管の外縁に嵌設されるメイン管からなり、上記伸縮管に、弾性突出が形成され、上記メイン管に、上から下へ間隔的に複数の調節穴が設置されることを特徴とする請求項２に記載の支持杖付きの歩行補助器。
【請求項７】
上記握り部に、螺合部材が貫穿されることを特徴とする請求項３に記載の支持杖付きの歩行補助器。
【請求項８】
上記握り部に、螺合部材が貫穿されることを特徴とする請求項４に記載の支持杖付きの歩行補助器。
【請求項９】
上記各支持脚に、伸縮部材が設置され、上記伸縮構造が、伸縮管とメイン管からなり、上記伸縮管に、弾性突出が設置され、上記メイン管に、上記弾性突出に対応する複数の調節穴が形成されることを特徴とする請求項１に記載の支持杖付きの歩行補助器。
【請求項１０】
請求項１乃至９の何れかの項に記載される支持杖であって、歩行補助器に実装されることができることを特徴とする支持杖。
【考案の詳細な説明】
【技術分野】
【０００１】
本考案は、支持杖と支持杖付きの歩行補助器に関し、特に、複合機能を有する歩行補助器に関する。
【背景技術】
【０００２】
下肢無力や脚部麻痺、脳卒中、脚障害者は、歩行補助器（歩行器とも言われる）を利用して歩きの訓練を行い、機能回復を求め、機能回復を求めなくても、上記歩行補助器を利用する短い距離を移動することが多い。
【０００３】
図１を参照しながら、このような歩行補助器の使用者は、脚部により、安定的に支持できないため、上記歩行補助器は、二つの、それぞれ、コ形状の第一側枠４１と第二側枠４２を有し、上記第一側枠４１と上記第二側枠４２に、コ形状を形成するための横棒４３１があり、上記各横棒４３１の両端から、それぞれ、下へ支持脚４３２が形成され、また、上記二つの側枠の間に、連結部４３により、全体として、四角枠形態（三点以上で支持すること）になり、上記歩行補助器により、安定的に支持でき、前記障害者の移動を補助する。しかしながら、このような歩行補助器は、使用者が、両手で、上記各側枠の横棒を持つため、体が、前へ傾くことにより、長期的に使用すると、脊椎や骨骼、筋肉が圧迫されることにより傷つける恐れがある。
【０００４】
また、前記問題のない他の補助器があり、例えば、杖であり、杖の活動性が比較的に良いが、杖は、一般として、単一点で支持することや比較的に小さい面積で支持することのため、安定性が良くない。そのため、軽微の脚障害者に適用される。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案は、上記の技術問題を解消するために、前記の杖と歩行補助器とを、巧妙的に結合することにより、上記歩行補助器に、補助支持杖を機能することができ、また、上記支持杖は、簡単な付加ではなく、上記歩行補助器に確実に結合されるため、設計により、結合されなければならない。これにより、使用者が、歩行補助器の機能を利用できるだけでなく、同時に、腋窩が、上記第一側枠上部の支持杖によって支持されるため、体が前へ傾くことにより、脊椎や骨骼、筋肉が圧迫されて傷付くことが防止される。
【課題を解決するための手段】
【０００７】
前記の目的を達成するため、本考案者により設計された支持杖と支持杖付きの歩行補助器は、歩行補助器があり、上記歩行補助器は、第一側枠と第二側枠があり、各側枠に、それぞれ、二つの離間された縦方向支持棒があり、両縦方向支持棒の間に、連結するための横棒からなる連結部が設置され、本考案によれば、主として、上記第一側枠の横棒に、上へ向かって支持杖が設置される。これにより、上記歩行補助器は、補助支持杖を機能することができ、また、上記支持杖は、簡単な付加ではなく、上記歩行補助器に確実に結合されるため、設計により、結合されなければならない。これにより、使用者が、歩行補助器の機能を利用できるだけでなく、同時に、腋窩が、上記第一側枠上部の支持杖によって支持されるため、体が前へ傾くことにより、脊椎や骨骼、筋肉が圧迫されて傷付くことが防止される。
【０００８】
本考案によれば、上記第一側枠と第二側枠の横棒から上へ向かって支持杖が設置されることにより、より平衡的に支持されることが得られる。
【０００９】
本考案によれば、前記の歩行補助器に簡単に実装されることができる支持杖を提供でき、既存の歩行補助器を、大幅に更新しなくても、簡単に一つの支持杖や二つの支持杖が実装されるだけで、流用することができる。
【００１０】
以下、図面を参照しながら、本考案の特徴や技術内容について、詳しく説明するが、それらの図面等は、参考や説明のためであり、本考案は、それによって制限されることが無い。
【考案を実施するための形態】
【００１１】
図２と図３を参照しながら、本考案は、支持杖と支持杖付きの歩行補助器を提供し、歩行補助器１を有し、上記歩行補助器１は、二つの、それぞれ、コ形状の第一側枠１１と第二側枠１２を有し、上記第一側枠１１と上記第二側枠１２に、それぞれ、横棒１１１、１２１があり、上記各横棒１１１、１２１の両端から、それぞれ、下へ向かって支持脚１１２、１２２が形成される。各支持脚１１２、１２２は、伸縮部材を有しても良い。また、上記伸縮構造は、伸縮管１１３とメイン管１１４からなり、また、上記伸縮管１１３に、弾性突出１１５が設置され、上記メイン管１１４に、上記弾性突出１１５に対応する複数の調節穴１１６が形成され、上記弾性突出１１５が、選択的に位置付けられる。使用者は、上記歩行補助器１の各支持脚１１２、１２２を利用して、使用者の脚の長さに応じて、上下に高さの調節することができる。
【００１２】
また、上記二つの側枠１１、１２の間において、連結部１３により連結され、上記連結部１３は、任意の連結形態ができ、例えば、二つの結合元件１３１で、それぞれ、横棒１３ａの両端を上記二側枠１１、１２に、ロックすることができ、また、横棒１３ｂを前記の横棒１３ａに、間を置いて、平行的に、上記二側枠１１、１２に結合することができる。これにより、本考案は、四つの支持脚により、四つの支点で、安定的に支持することができ、脚障害者は、それを利用して、より安定的に且つ安全的に移動することができる。
【００１３】
本考案の主な特徴は、上記第一側枠１１や上記第二側枠１２の横棒１１１、横棒１２１の何れかの一つから、或いは、両方とも、上へ向かって支持杖２が設置されることにある。以下、一側部分（第一側枠）を論じる場合、もう一側（第二側枠）に適用できる。
【００１４】
本考案に係る上記支持杖２は、上記第一側枠１１と一体形成されることができ、図２乃至４を参照しながら、上記支持杖２の底部に、開口２０を有する握り部２１が形成され、上記握り部２１は、二つの半円状部材からなることでもよい。これにより、上記横棒１１１を握ることができる。また、本考案の上記握り部２１は、螺合部材２５が貫穿され、上記横棒１１１に圧迫的に密着することができる。これにより、実装の安定性が向上される。本考案の上記支持杖２は、独自に形成されて、既存の歩行補助器に実装されることができる。
【００１５】
また、図４のように、使用者の身長（手や足の長さ）が異なるため、本考案に係る実施例において、上記支持杖２は、伸縮管２２と上記伸縮管２２の外縁に嵌設されたメイン管２３からなり、上記伸縮管２２に、弾性突出２２１が設置され、上記メイン管２３に、上記弾性突出２２１に対応する複数の調節穴２４が形成され、上記弾性突出２２１により、選択的に位置付けることができ、これにより、使用者は、上記歩行補助器１の各支持杖２を、自分の脚の長さに合わせるように、上下に高さを調節することができる。
【００１６】
図５は、本考案の使用状態である。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１９】
【図１】従来技術の立体図
【図２】本考案の立体図
【図３】本考案の伸縮管が伸縮する状態の立体概念図
【図４】本考案の立体分解図
【図５】本考案の使用状態概念図
【符号の説明】
【００２０】
１      歩行補助器
１１    第一側枠
１１１  横棒
１１２  支持脚
１１３  伸縮管
１１４  メイン管
１１５  弾性突出
１１６  調節穴
１２    第二側枠
１２１  横棒
１２２  支持脚
１３    連結部
１３ａ  横棒
１３ｂ  横棒
１３１  結合元件
２      支持杖
２０    開口
２１    握り部
２２    伸縮管
２２１  弾性突出
２３    メイン管
２４    調節穴
２５    螺合部材
３      支持杖
４１    第一側枠
４２    第二側枠
４３    連結部
４３１  横棒
４３２  支持脚
【図１】
0003163039.tif 000003
【図２】
0003163039.tif 000004
【図３】
0003163039.tif 000005
【図４】
0003163039.tif 000006
【図５】
0003163039.tif 000007
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
２つの長杆のそれぞれの両側を折り曲げて、一方を前脚、他方を後脚とした第一側枠と第二側枠を対向して配し、前記各側枠に前記各側枠を連結するための横棒を前記各側枠の前脚側に掛け渡した連結部が設置される歩行補助器であって、
上記第一側枠、第二側枠の少なくとも一方の長杆の横棒に握り部を介して上向きの脚立を支持杖とし、該脚立の頂上に脇当てを配した脇当て部材が設置されることを特徴とする支持杖付きの歩行補助器。  
【請求項２】
上記脇当て部材の支持杖の底部は、上記横棒に配設する開口を有する握り部の開口に嵌合固定されることを特徴とする請求項１に記載の支持杖付きの歩行補助器。
【請求項３】
上記側枠の前脚、後脚が、伸縮管と上記伸縮管の外縁に嵌設されたメイン管からなり、上記伸縮管に、弾性突出が形成され、また、上記メイン管に、上記弾性突出に対応する複数の調節穴が形成されることを特徴とする請求項１に記載の支持杖付きの補助器。
【請求項４】
上記脇当て部材の脚立を構成する支持杖が、伸縮管と上記伸縮管の外縁に嵌設されるメイン管からなり、上記伸縮管に、弾性突出が形成され、上記メイン管に、上から下へ間隔的に複数の調節穴が設置されることを特徴とする請求項１に記載の支持杖付きの歩行補助器。
【請求項５】
上記横棒に配する握り部には、該握り部に設置する脇当て部材の支持杖を固定するための機材として螺合部材が貫穿されることを特徴とする請求項１に記載の支持杖付きの歩行補助器。
【手続補正２】
【補正対象書類名】明細書
【補正対象項目名】０００７
【補正方法】変更
【補正の内容】
【０００７】
前記の目的を達成するため、本考案者により設計された支持杖と支持杖付きの歩行補助器は、歩行補助器があり、上記歩行補助器は、長杆の両端を折り曲げて、一方を前脚、他方を後脚とした第一側枠と第二側枠があり、各側枠には、それぞれ、二つの離間された縦方向支持棒があり、両縦方向支持棒の間に、連結するための横棒からなる連結部が設置され、本考案によれば、主として、上記第一側枠の横棒に、上へ向かって支持杖が設置される。これにより、上記歩行補助器は、補助支持杖を機能することができ、また、上記支持杖は、簡単な付加ではなく、上記歩行補助器に確実に結合されるため、設計により、結合されなければならない。これにより、使用者が、歩行補助器の機能を利用できるだけでなく、同時に、腋窩が、上記第一側枠上部の支持杖によって支持されるため、体が前へ傾くことにより、脊椎や骨骼、筋肉が圧迫されて傷付くことが防止される。
【手続補正３】
【補正対象書類名】明細書
【補正対象項目名】００１１
【補正方法】変更
【補正の内容】
【００１１】
図２と図３を参照しながら、本考案は、支持杖と支持杖付きの歩行補助器を提供し、歩行補助器１を有し、上記歩行補助器１は、二つの、長杆のそれぞれを、コ形状に折り曲げた第一側枠１１と第二側枠１２とし、上記第一側枠１１と上記第二側枠１２の前脚に、それぞれ、横棒１１１、１２１を掛け渡し、上記各横棒１１１、１２１の両端から、それぞれ、下へ向かって支持脚１１２、１２２が形成される。各支持脚１１２、１２２は、伸縮部材を有しても良い。また、上記伸縮構造は、伸縮管１１３とメイン管１１４からなり、また、上記伸縮管１１３に、弾性突出１１５が設置され、上記メイン管１１４に、上記弾性突出１１５に対応する複数の調節穴１１６が形成され、上記弾性突出１１５が、選択的に位置付けられる。使用者は、上記歩行補助器１の各支持脚１１２、１２２を利用して、使用者の脚の長さに応じて、上下に高さの調節することができる。
【手続補正４】
【補正対象書類名】明細書
【補正対象項目名】００１２
【補正方法】変更
【補正の内容】
【００１２】
また、上記二つの側枠１１、１２の間において、各側枠の前脚側に掛け渡した横棒１１１、１２１を以て連結部１３により連結され、上記連結部１３は、任意の連結形態ができ、例えば、二つの結合元件１３１で、それぞれ、横棒１３ａの両端を上記二側枠１１、１２に、ロックすることができ、また、横棒１３ｂを前記の横棒１３ａに、間を置いて、平行的に、上記二側枠１１、１２に結合することができる。これにより、本考案は、四つの支持脚により、四つの支点で、安定的に支持することができ、脚障害者は、それを利用して、より安定的に且つ安全的に移動することができる。
【手続補正５】
【補正対象書類名】明細書
【補正対象項目名】００１３
【補正方法】変更
【補正の内容】
【００１３】
本考案の主な特徴は、上記第一側枠１１や上記第二側枠１２の横棒１１１、横棒１２１の何れかの一つから、或いは、両方とも、図面から明らかなように、脇当て部材を配した支持杖２、３が設置されることにある。以下、一側部分（第一側枠）を論じる場合、もう一側（第二側枠）に適用できる。
【手続補正６】
【補正対象書類名】明細書
【補正対象項目名】００１４
【補正方法】変更
【補正の内容】
【００１４】
本考案に係る上記支持杖２、３は、上記第一側枠１１、１２と一体形成されることができ、図２乃至４を参照しながら、上記支持杖２、３の底部に、開口２０を有する握り部２１が形成され、上記握り部２１は、二つの半円状部材からなることでもよい。これにより、上記横棒１１１、１２１を握ることができる。また、本考案の上記握り部２１は、螺合部材２５が貫穿され、上記横棒１１１に圧迫的に密着することができる。これにより、実装の安定性が向上される。本考案の上記支持杖２、３は、独自に形成されて、既存の歩行補助器に実装されることができる。
【手続補正７】
【補正対象書類名】明細書
【補正対象項目名】００１５
【補正方法】変更
【補正の内容】
【００１５】
また、図４のように、使用者の身長（手や足の長さ）が異なるため、本考案に係る実施例において、上記支持杖２、３は、伸縮管２２と上記伸縮管２２の外縁に嵌設されたメイン管２３からなり、上記伸縮管２２に、弾性突出２２１が設置され、上記メイン管２３に、上記弾性突出２２１に対応する複数の調節穴２４が形成され、上記弾性突出２２１により、選択的に位置付けることができ、これにより、使用者は、上記歩行補助器１の各支持杖２を、自分の脚の長さに合わせるように、上下に高さを調節することができる。